(57)【要約】【課題】  巾木の先端が突き合う出隅コーナー又は入隅コーナーに取付けるもので、巾木下縁のパッキン有無に関係なく取付け出来る巾木コーナー部材の提供。【解決手段】  表面部８ａ，８ｂの下端部には切取り部１１を設け、巾木１の下縁にパッキンを設けた場合には下端部１２を切り取ることなく取付け、下縁にパッキンの無い巾木の場合には切取り部１１から下端部１２を切り取って取付けることが出来る。【選択図】    図２
2015209671.tif 000002
【特許請求の範囲】
【請求項１】
巾木の先端が突き合う出隅コーナー又は入隅コーナーに取付ける巾木コーナー部材において、表面部の下端部には切取り部を設け、巾木の下縁にパッキンを設けた場合には切取り部から下端部を切り取ることなく取付け、下縁にパッキンの無い巾木の場合には切取り部から下端部を切り取って取付けることを特徴とする巾木コーナー部材。
【請求項２】
上記切取り部として、表面部の表面に沿って溝を形成すると共に、表面部両先端及びその他の箇所に複数の細長い穴を貫通して設けた請求項１記載の巾木コーナー部材。
【発明の詳細な説明】
【技術分野】
【０００１】
本発明は巾木のコーナーに取付ける巾木コーナー部材に関するものである。
【背景技術】
【０００２】
図８（ａ）に示すように、部屋の壁面（イ）と床面（ロ）の境界には巾木（ハ）が取付けられている。巾木（ハ）は高さＨ１の長方形断面をした一定断面の長尺材であり、表面（ホ）と上面（ヘ）との間にはＲ面又はＣ面を有し、これを壁面（イ）に固定することで該壁面（イ）と床面（ロ）との間に残される隙間が塞がれる。巾木（ハ）は木製やプラスチック製のものが多用されているが、建物の床がコンクリート製や鉄筋コンクリート製である場合、該床面（ロ）は均一な平坦面でなく、多少の凹凸面と成ることが多い。したがって、巾木（ハ）を取付けても巾木（ハ）と床面（ロ）との間に隙間が形成される。
【０００３】
そこで、このような凹凸をした床面（ロ）の場合、図８（ｂ）に示すように、下縁にパッキン（ニ）を備えた巾木（ハ）が用いられる。該パッキン（ニ）は変形して床面（ロ）との間の隙間を塞ぐことが出来る。下縁にパッキン（ニ）を取付けるならば、巾木（ハ）はパッキン（ニ）の高さＨ２が加わることで、高さＨと成る。
実開平５−５２０８２号に係る「巾木」は、部屋の壁面と床面の間に取着される巾木であって、該巾木の端縁には内側が空間となされた可撓性シートからなる緩衝部を形成することにより、端縁が凹凸のある床面に当接されても、該凹凸を緩衝部で吸収し、床面との間の隙間や端縁の波打ちをなくすことが出来るようにしている。
【０００４】
ところで、巾木が交わる凸状コーナーには、夫々の巾木先端を４５°に切断して互いに突き合わせることもあるが、コーナー部材を取付けることも出来る。
コーナー部材は下縁にパッキン（ニ）を取付けた巾木に対応する場合は高さ寸法Ｈは大きくなり、パッキンを備えていない巾木に対応する場合には高さ寸法Ｈ１は低く成る。そのために、２種類のコーナー部材を準備しておく必要があり、コーナー部材の製作はもとより、管理の点でも面倒である。
【特許文献１】実開平５−５２０８２号に係る「巾木」
【発明の開示】
【発明が解決しようとする課題】
【０００５】
このように、巾木が交わるコーナーに取付けるコーナー部材には上記のごとき問題がある。本発明が解決しようとする課題はこの問題点であり、パッキン付きの巾木であっても、パッキン無しの巾木であっても両方に対応することが出来る巾木コーナー部材を提供する。
【課題を解決するための手段】
【０００６】
本発明の巾木コーナー部材は、パッキン付き巾木であっても、パッキンなし巾木であってもコーナーに取付け出来るように、すなわち高さ寸法を調整可能に構成している。
ここで、巾木コーナー部材をコーナーに取付けする具体的な取付方法に関しては特に限定しないことにする。巾木コーナー部材は互いに垂直を成す表面部を形成したＬ形横断面を有し、上端には上面部を設けている。下端には下面部はなく開口している。
そして、両表面部が交わる角部はＲ面又はＣ面が形成され、同じく表面部と上面部が交わる角部にも適度な大きさのＲ面又はＣ面を有している。時には、Ｒ面やＣ面を設けることなく角張った状態とする場合もあり、巾木コーナー部材の表面は巾木の面形状にフィットするように構成している。
【０００７】
そして、両表面部の下端部には切取り部が下端から所定の高さに設けている。該切取り部は表面部より肉厚を薄くしたり、複数の穴を一定間隔で設けるなどして、手で簡単に除去することが出来るように成っている。切取り部が設けられる下端からの高さは、パッキンの高さ寸法に相当し、パッキンを備えていない巾木であれば、切取り部から下端部を除去したコーナー部材が巾木のコーナーに取付けられる。そして、パッキンを下縁に設けている巾木の場合には、下端部を切り取ることなくコーナーに取付ける。
【発明の効果】
【０００８】
本発明に係る巾木コーナー部材は、その下端部に切取り部を設けている。したがって、巾木コーナー部材は必要に応じて切取り部から下端部を除去することが出来、下縁にパッキンを持たない巾木であっても、逆に下縁にパッキンを備えた巾木の場合であっても適用可能となる。すなわち、パッキンを備えた巾木の場合には、コーナーにそのまま取付け、パッキンの無い巾木であれば、切取り部から下端部を除去してその高さを低くした状態でコーナーに取付けることが出来る。すなわち、一種類のコーナー部材でもって何れの巾木にも兼用可能となる。
【図面の簡単な説明】
【０００９】
【図１】巾木の出隅コーナー及び入隅コーナーに巾木コーナー部材を取付けた場合。
【図２】本発明の巾木コーナー部材を示す実施例で、正面図を表している。
【図３】本発明の巾木コーナー部材を示す実施例で、背面図を表している。
【図４】巾木コーナー部材の背面側の下端部拡大図。
【図５】下端部を切り取った巾木コーナー部材で、（ａ）は正面図、（ｂ）は背面図。
【図６】巾木コーナー部材を取付ける前の出隅コーナーで、（ａ）は下縁にパッキンを取付けている場合、（ｂ）は下縁にパッキンのない場合。
【図７】入隅コーナーに取付ける巾木コーナー部材。
【図８】（ａ）は下縁にパッキンのない巾木を取付けた場合、（ｂ）は下縁にパッキンを備えた巾木を取付けた場合。
【発明を実施するための形態】
【００１０】
図１は互いに垂直に折れ曲がっている巾木１ａ，１ｂ，１ｃの各コーナーに巾木コーナー部材２，３を取付けた場合を表す実施例である。巾木１ａ，１ｂ，１ｃはその下縁４ａ，４ｂ，４ｃを床面５に接し、背面６ａ，６ｂ，６ｃは壁面７に接している。このように、巾木１ａ，１ｂ，１ｃを配置することで、床面５と壁面７の境界の外観を向上することが出来る。巾木１の形態も色々あるが、本発明では該巾木１の形態や構造に関しては特に限定しない。
【００１１】
ところで、巾木１ａと巾木１ｂとの入隅コーナーには巾木コーナー部材２が取付けられ、そして、巾木１ｂと巾木１ｃとの出隅コーナーには巾木コーナー部材３が取付けられている。このように各コーナーに巾木コーナー部材２，３を取付けることで、各巾木１ａ，１ｂ，１ｃの先端突合せ面が不揃いであっても、巾木コーナー部材２，３にて被覆され、入隅コーナー及び出隅コーナーでの外観が向上する。
【００１２】
図２、図３は本発明に係る巾木コーナー部材３を示す具体例であり、図２は正面図、図３は背面図を表している。該巾木コーナー部材３は互いに垂直を成す表面部８ａ，８ｂを有した概略Ｌ形横断面を成し、上端には上面部９を設けている。そして、背面側には図３に示すように、表面部８ｂから垂直を成して中仕切り板１０を延ばし、中仕切り板１０は表面部８ａと所定の間隔をおいて平行と成っている。したがって、表面部８ａと中仕切り板１０とで一定幅の空間１５が形成される。
【００１３】
また、両表面部８ａ，８ｂが交わるコーナーは角張ることなく適度な大きさの丸みを形成し、同じく両表面部８ａ，８ｂと上面部９とが交わるコーナーも角張ることなく適度な大きさの丸みを有している。また、表面部８ａ，８ｂの表面１６には巾木表面に設けた窪みの位置（高さ）に合わせて窪み１７を形成している。そして、本発明の巾木コーナー部材３は、その表面部８ａ，８ｂに切取り部１１を設け、下端部１２を切り取ることが出来るようにしている。
【００１４】
切取り部１１は表面部８ａ，８ｂの表面に沿って溝１３を設け、該溝１３の所々には該表面部８ａ，８ｂを背面側に貫通する細長い穴１４，１４・・・が形成されている。しかも、表面部８ａ，８ｂの先端部には先端から切り込んだ細長い穴１４ａ，１４ｂを設けており、上記溝１３と複数の穴１４ａ，１４ｂ，１４・・・によって、残される肉厚は僅かと成り、下端部１２を簡単に切り取ることが出来る。
【００１５】
図４は上記穴１４ａ，１４ｂ，１４・・・を設けている下端部１２の背面側拡大図を示している。中仕切り板１０は下端部１２までは延びずに、上記穴１４ａ，１４ｂ，１４・・・までと成っており、下端部１２を切り取るに際して、中仕切り板１０が障害になることが無いようにしている。
【００１６】
図５は上記穴１４ａ，１４ｂ，１４・・・、及び溝１３を介して下端部１２を切り取った場合の巾木コーナー部材３で、（ａ）は正面図、（ｂ）は背面図をそれぞれ表している。このように、下端部１２が切り取られることで、巾木コーナー部材３の高さ寸法は小さく成る。
【００１７】
図６は壁面下端に巾木１ｂ，１ｃを取付けた場合を示しており、（ａ）に示す巾木１ｂ，１ｃは下縁にパッキン１８ｂ，１８ｃを備え、（ｂ）に示す巾木１ｂ、１ｃは下縁にパッキンを設けていない。パッキン１８ｂ，１８ｃを下縁に設けることで、床面から巾木上縁１９ｂ，１９ｃまでの高さはＨ＋Ｎとなり、パッキンを下縁に備えない巾木１ｂ，１ｃの上縁１９ｂ，１９ｃまでの高さはＨとなる。
【００１８】
そこで、パッキンを備えた巾木１ｂ，１ｃのコーナーに取付ける巾木コーナー部材３は前記図２、図３に示すように下端部１２を備えたものとし、パッキンを備えていない巾木１ｂ、１ｃのコーナーには図５に示すような下端部１２を切り取った巾木コーナー部材３が取付けられる。
【００１９】
ところで、コーナーに巾木コーナー部材を取付ける方法に関して本発明では限定しないが、前記図２、図３、図５の実施例に示す巾木コーナー部材３の場合、一方の巾木先端を表面部８ａと中仕切り板１０の間に形成される空間１５に嵌め、他方の巾木先端を中仕切り板１０に当接することで取付けることが出来る。すなわち、一方の巾木先端に巾木コーナー部材３を取付けた状態で該巾木を配置し、そして、他方の巾木を中仕切り板１０に先端を当接して取付けることが出来る。
このように取付けられた巾木コーナー部材３は巾木１ｂ，１ｃのコーナーから外れることなく安定した取付けが出来る。
【００２０】
以上説明した実施例の巾木コーナー部材３は出隅コーナーに取付けられる場合であり、入隅コーナーに取付ける巾木コーナー部材２の場合も同じように、その下端部２０を切り取ることが出来る構造としている。図７は巾木コーナー部材２を示す実施例であり、互いに垂直を成す表面部２１ａ，２１ｂ及び上面部２２を有し、下端には切り取ることが出来る下端部２０を設けている。
該下端部２０は巾木コーナー部材３と同じように、表面部２１ａ，２１ｂの表面には溝２３を設け、該溝２３の所々には複数の細長い穴２４，２４・・・を形成している。そして、該溝２３、及び穴２４，２４・・・を介して下端部２０を簡単に切り取ることが出来る。壁面と床面のコーナーに取付けた巾木下縁にパッキンがない場合には、下端部２０を切り取って取付けることが出来るようにしている。
【符号の説明】
【００２１】
１   巾木
２   巾木コーナー部材
３   巾木コーナー部材
４   下縁
５   床面
６   背面
７   壁面
８   表面部
９   上面部
10   中仕切り板
11   切取り部
12   下端部
13   溝
14   穴
15   空間
16   表面
17   窪み
18   パッキン
19   上縁
20   下端部
21   表面部
22   上面部
23   溝
24   穴
【図１】
2015209671.tif 000003
【図６】
2015209671.tif 000004
【図７】
2015209671.tif 000005
【図８】
2015209671.tif 000006
【図２】
2015209671.tif 000007
【図３】
2015209671.tif 000008
【図４】
2015209671.tif 000009
【図５】
2015209671.tif 000010